【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
システムであって、
ダイヤラ識別子を有するダイヤラデバイスと、
着信者識別子を有する着信者デバイスと、
前記ダイヤラデバイスと前記着信者デバイスとの間で前記着信者識別子を使用して通話を開始するようにプログラムされている、ダイヤラと、
サーバと、
データベースと、
（ｉ）前記ダイヤラデバイスに格納され、かつ（ｉｉ）第１のインタラクションデータ集合を前記データベースに前記通話中に送信するようにプログラムされている、第１のインタラクションマネージャと、
（ｉ）前記着信者デバイスに格納され、かつ（ｉｉ）第２のインタラクションデータ集合を前記データベースに前記通話中に送信するようにプログラムされている、第２のインタラクションマネージャと、を備え、
前記サーバが、
着信者コンテンツデータを前記データベースから前記着信者識別子を使用して取得し、前記着信者コンテンツデータを前記ダイヤラデバイスに送信し、
ダイヤラコンテンツデータを前記データベースから取得し、
前記ダイヤラコンテンツデータを前記着信者デバイスに送信し、かつ
前記第１のインタラクションデータ集合および前記第２のインタラクションデータ集合の両方からのデータを前記データベースに、前記着信者識別子および前記ダイヤラ識別子の両方に関連付けて格納するようにプログラムされている、システム。
【請求項２】
分散台帳ネットワークの分散台帳をさらに備え、
前記サーバが、前記分散台帳ネットワークに通信可能に接続され、
前記分散台帳が、前記サーバおよび分散台帳技術を使用して前記着信者識別子および前記ダイヤラ識別子の両方に関連付けられた前記第１のインタラクションデータ集合および前記第２のインタラクションデータ集合を含む、請求項１に記載のシステム。
【請求項３】
前記第１のインタラクションデータ集合が購入オーダーを含み、
前記第２のインタラクションデータ集合がインボイスを含み、
前記サーバが、（ｉ）前記購入オーダーを前記データベースから取得し、（ｉｉ）前記インボイスを前記データベースから取得し、かつ（ｉｉｉ）支払処理要求を前記購入オーダーおよび前記インボイスを使用して作成するようにプログラムされている、請求項１に記載のシステム。
【請求項４】
前記サーバが、（ｉ）ダイヤラの口座の借方に第１の通貨で、前記支払処理要求を使用して記入し、かつ（ｉｉ）着信者の口座の貸方に第２の通貨で前記支払処理要求を使用して記入するようにプログラムされており、
前記第１の通貨および前記第２の通貨は、格納されている銀行口座ファンド、仮想通貨ファンド、およびクレジットカードファンドから選択される、請求項３に記載のシステム。
【請求項５】
前記サーバが、
前記第１のインタラクションデータ集合の少なくとも一部分を前記着信者デバイスに前記通話中に送信し、かつ
前記第２のインタラクションデータ集合の少なくとも一部分を前記ダイヤラデバイスに前記通話中に送信するようにさらにプログラムされている、請求項１に記載のシステム。
【請求項６】
前記ダイヤラデバイスに格納されるローカルデータベースと、
ローカルデータベースマネージャであって、（ｉ）前記ダイヤラデバイスに格納され、かつ（ｉｉ）前記ダイヤラが新規通話を前記ダイヤラデバイスと前記着信者デバイスとの間で開始するときに、前記データベースの前記第１のインタラクションデータ集合および前記第２のインタラクションデータ集合の両方からデータを取得するようにプログラムされている、ローカルデータベースマネージャと、をさらに備える、請求項１に記載のシステム。
【請求項７】
ディスプレイマネージャであって、（ｉ）前記ダイヤラデバイスに格納され、かつ（ｉｉ）表示コンテンツを前記ダイヤラデバイスのディスプレイに前記第２のインタラクションデータ集合の少なくとも一部分を使用して生成するようにプログラムされている、ディスプレイマネージャをさらに備える、請求項１に記載のシステム。
【請求項８】
前記第２のインタラクションデータ集合の前記一部分は、前記着信者デバイスで生成されて前記ダイヤラデバイスに配信される販売提供物を含み、
前記表示コンテンツは、画像および前記販売提供物を含み、
前記画像は、前記データベースに前記着信者識別子に関連付けして格納される、請求項７に記載のシステム。
【請求項９】
前記サーバが、（ｉ）前のインタラクションデータを前記データベースから前記ダイヤラ識別子および前記着信者識別子を使用して取得し、かつ（ｉｉ）前のインタラクションデータを前記ダイヤラデバイスに送信するようにプログラムされており、および
前記ディスプレイマネージャが、過去のインタラクション表示コンテンツを前記ダイヤラデバイスの前記ディスプレイに前記前のインタラクションデータを使用して生成するようにプログラムされている、請求項７に記載のシステム。
【請求項１０】
ディスプレイマネージャであって、（ｉ）前記着信者デバイスに格納され、かつ（ｉｉ）表示コンテンツを前記着信者デバイスのディスプレイに前記第１のインタラクションデータ集合の少なくとも一部分を使用して生成するようにプログラムされている、ディスプレイマネージャをさらに備える、請求項１に記載のシステム。
【請求項１１】
前記第１のインタラクションデータ集合の前記一部分が、前記ダイヤラデバイスで生成されて前記着信者デバイスに配信される購入オーダーおよびレシートを含む、請求項１０に記載のシステム。
【請求項１２】
前記サーバが、（ｉ）前のインタラクションデータを前記データベースから前記ダイヤラ識別子を使用して取得し、かつ（ｉｉ）前のインタラクションデータを前記着信者デバイスに送信するようにプログラムされており、
前記ディスプレイマネージャが、過去のインタラクション表示コンテンツを前記着信者デバイスの前記ディスプレイに前記前のインタラクションデータを使用して生成するようにプログラムされており、
前記前のインタラクションデータが、サードパーティに対して前記ダイヤラにより、前記サードパーティとの前の通話中に発注される購入オーダーである、請求項１０に記載のシステム。
【請求項１３】
前記ダイヤラデバイスおよび前記着信者デバイスを接続するデータチャネルであって、前記第１のインタラクションデータ集合および前記第２のインタラクションデータ集合が、前記データチャネルを介して供給される、データチャネルと、
前記ダイヤラデバイスおよび前記着信者デバイスを接続する音声チャネルであって、前記通話が前記音声チャネルを介して行われる、音声チャネルと、
前記ダイヤラデバイスのダイヤラアプリケーション画面内のオーバーレイ部と、
前記着信者デバイスの着信者アプリケーション画面内の第２のオーバーレイ部と、をさらに備え、
前記表示コンテンツが、前記オーバーレイ部に提示され、
前記ディスプレイマネージャが、前記データチャネルのコントロールを前記オーバーレイ部に生成し、前記ダイヤラアプリケーション画面が、前記ダイヤラデバイスにより、前記音声チャネルの形成時に、前記データチャネルの形成とは関係なく提示され、
前記着信者アプリケーション画面が、前記着信者デバイスにより、前記音声チャネルの前記形成時に、前記データチャネルの前記形成とは関係なく提示される、請求項１０に記載のシステム。
【請求項１４】
第１のディスプレイマネージャであって、（ｉ）前記ダイヤラデバイスに格納され、かつ（ｉｉ）表示コンテンツを前記ダイヤラデバイスのディスプレイに前記第２のインタラクションデータ集合の少なくとも一部分を使用して生成するようにプログラムされている、第１のディスプレイマネージャと、
第２のディスプレイマネージャであって、（ｉ）前記着信者デバイスに格納され、かつ（ｉｉ）表示コンテンツを前記着信者デバイスのディスプレイに前記第１のインタラクションデータ集合の少なくとも一部分を使用して生成するようにプログラムされている、第２のディスプレイマネージャと、をさらに備える、請求項１に記載のシステム。
【請求項１５】
前記着信者コンテンツデータが、着信者プロファイルを記述し、
前記着信者プロファイルが、会社名、プロファイル画像、ならびに前記ダイヤラ識別子との関係の割り当て評価を含む、請求項１に記載のシステム。
【請求項１６】
前記サーバが、前記着信者コンテンツデータを前記データベースから前記着信者識別子および前記ダイヤラ識別子の両方を使用して取得するようにプログラムされており、
前記着信者コンテンツデータが、着信者プロファイルを記述し、
前記着信者プロファイルが、前記ダイヤラに関してカスタマイズされる、請求項１に記載のシステム。
【請求項１７】
前記サーバが、
前記着信者コンテンツデータが前記データベース中にないことを特定し、かつ
前記着信者コンテンツデータを、ウェブ検索を使用して、または前記着信者識別子を使用するサードパーティＡＰＩを使用して動的に生成するようにプログラムされている、請求項１に記載のシステム。
【請求項１８】
前記ダイヤラコンテンツデータが、ダイヤラプロファイルを記述し、および
前記ダイヤラプロファイルが、ユーザ名、プロファイル画像、ならびに前記着信者デバイスとの関係の割り当て評価および前記着信者デバイスに関する割り当て評価を含む、請求項１に記載のシステム。
【請求項１９】
前記サーバが、前記着信者コンテンツデータを前記データベースから前記着信者識別子および前記ダイヤラ識別子を使用して取得するようにプログラムされ、
前記ダイヤラコンテンツデータが、ダイヤラプロファイルを記述し、
前記ダイヤラプロファイルを、ダイヤラ構成可能な設定、および前記着信者デバイスに関連する信頼度を使用して制限する、請求項１に記載のシステム。
【請求項２０】
前記ダイヤラデバイスに格納されるアプリケーションをさらに備え、
前記ダイヤラデバイスが、オペレーティングシステムを備える携帯電話であり、
前記アプリケーションが、前記オペレーティングシステムで行う電話状態読み出し許可を有し、
前記アプリケーションは、
前記ダイヤラが通話を開始していることを示す放送を受信し、
前記着信者識別子を前記放送から取得し、かつ
前記着信者識別子を前記サーバに送信するようにプログラムされている、請求項１に記載のシステム。
【請求項２１】
前記ダイヤラデバイスに格納されるアプリケーションをさらに備え、
前記ダイヤラデバイスが携帯電話であり、
前記ダイヤラが、前記アプリケーションのモジュールであり、
前記アプリケーションが、
前記通話を開始する前に、前記着信者識別子を受信し、かつ
前記着信者識別子を前記サーバに送信するようにプログラムされている、請求項１に記載のシステム。
【請求項２２】
前記通話が、回路交換ネットワークを介して保持され、
前記第１のインタラクションデータ集合、前記第２のインタラクションデータ集合、前記ダイヤラコンテンツデータ、および前記着信者コンテンツデータが、パケット交換ネットワークを介して送信され、
前記第１のインタラクションマネージャおよび前記第２のインタラクションマネージャが、前記ダイヤラデバイスと前記着信者デバイスとの間の少なくとも２つのインタラクションスレッドを管理する、請求項１に記載のシステム。
【請求項２３】
前記通話が、パケット交換ネットワークを介して保持され、
前記第１のインタラクションデータ集合、前記第２のインタラクションデータ集合、前記ダイヤラコンテンツデータ、および前記着信者コンテンツデータが、前記パケット交換ネットワークまたは第２のパケット交換ネットワークの一方を介して送信され、
前記第１のインタラクションマネージャおよび前記第２のインタラクションマネージャが、前記ダイヤラデバイスと前記着信者デバイスとの間の少なくとも２つのインタラクションスレッドを管理する、請求項１に記載のシステム。
【請求項２４】
前記サーバが、
前記ダイヤラデバイスからのコマンドに応答して、テキストメッセージを前記着信者デバイスに送信するようにさらにプログラムされており、
前記テキストメッセージが、アプリケーションを前記着信者デバイスにダウンロードするためのリンクを含む、請求項１に記載のシステム。
【請求項２５】
前記ダイヤラデバイスに格納されるアプリケーションをさらに備え、
前記アプリケーションが、（ｉ）ユーザインターフェース要素を前記ダイヤラデバイスのディスプレイに前記通話中に提示し、かつ（ｉｉ）前記ユーザインターフェース要素の選択に応答して、前記コマンドを前記サーバに送信するようにプログラムされている、請求項２４に記載のシステム。
【請求項２６】
前記ダイヤラコンテンツデータがダイヤラプロファイルを記述し、
前記ダイヤラプロファイルが、ダイヤラ名、ダイヤラプロファイル画像、ならびに前記着信者識別子との関係の割り当て評価および前記着信者識別子に関する割り当て評価を含む、請求項１５に記載のシステム。
【手続補正２】
【補正対象書類名】明細書
【補正対象項目名】００２１
【補正方法】変更
【補正の内容】
【００２１】
図３は、図１に示すように、発信操作前および発信操作中、ならびにサーバ１０４が着信者コンテンツおよびダイヤラコンテンツをそれぞれのデバイスに配信した後に情報を表示するダイヤラディスプレイ３０４を備えるダイヤラデバイス３０３、および着信者ディスプレイ３０２を備える着信者デバイス３０１の特定の例を示している。図から分かるように、デバイスの各デバイスに配信されるプロファイルは、着信者およびダイヤラの両方に固有である。この状況では、ユーザの各ユーザに配信されるプロファイル、例えばＭａｒｉｏ（マリオ）のプロファイル３０５およびＪｉｌｌ（ジル）のプロファイル３０６も、プラットフォームまたは個々のユーザのいずれかがキュレートして、ユーザ間に既に確立されている関係を反映している。この図は、商取引データプラットフォームがどのようにして表示用データを生成することができるかの例を、前の（先の、以前の）インタラクションデータを使用して与えることもできる。ディスプレイ３０２および３０４の各ディスプレイでは、カウンターパーティは、どのくらいの頻度で前の（先の、以前の）インタラクションが行われてカウンターパーティとのユーザの関係にユーザが置くべき価値をユーザに思い出させるラベル「Ａ＋」を生成するようにランキングが割り当てられている。
【手続補正３】
【補正対象書類名】明細書
【補正対象項目名】００３１
【補正方法】変更
【補正の内容】
【００３１】
上に説明したように、商取引データプラットフォームは、サードパーティデータベースのような追加のデータソースにアクセスすることにより拡張可能とすることができる。さらに、商取引データプラットフォームは、個別のプラットフォーム全体とのインタラクションを行うために使用されるＡＰＩを使用することにより拡張可能とすることができる。１つの特定の例では、プラットフォームデータベースは、外部インセンティブプラットフォームの実ソースとして使用することができる。商取引データプラットフォームのリアルタイムインタラクションマネージャを使用して、商取引データプラットフォームデータベースの特定部分を外部データベースとＡＰＩを使用することにより同期させることができる。１つのタイプの同期用ＡＰＩは、分散台帳技術（ｄｉｓｔｒｉｂｕｔｅｄ  ｌｅｄｇｅｒ  ｔｅｃｈｎｏｌｏｇｙ）とすることができる。分散台帳は、複数のストレージロケーションを介して格納および同期されるデータ集合を含むことができる。分散台帳、および分散台帳に相当する分散台帳を構成するデータは、分散台帳ネットワークと呼ばれるデバイスのネットワークに格納することができる。分散台帳データの１つの例は、インセンティブプラットフォームの台帳テーブル集合とすることができ、ベンダーおよび顧客は、硬貨またはカードを商品およびサービスに関して授受することができる。分散台帳データの別の例は、商取引を形成し、取引の２つのパーティに関連付けて格納される第１のインタラクションデータ集合および第２のインタラクションデータ集合とすることができる。例えば、第１および第２のインタラクションデータ集合は、購入オーダーおよびインボイスを含むことができる。商取引データプラットフォームで行われるインタラクションは、データをこれらの外部プラットフォームから取り出すことができる、またはこれらの外部プラットフォームにプッシュすることができるという意味でこれらの外部プラットフォームを関与させることができる。この状況では、顧客は、インセンティブの報酬を売り手から受け取って、別の顧客に売り手を紹介する。当該一連の取引に関連する多くのインタラクションの全てが容易になり、商取引データプラットフォームにより記録され、外部インセンティブプラットフォームを更新するために使用される。したがって、ＡＰＩおよびリアルタイムインタラクションマネージャを使用することにより、任意の数の外部サービスをサービスとして商取引データプラットフォームに追加することができ、基本的にデータを、当該プラットフォームで行われるインタラクションの全てからマイニングして、いずれのベンダーや小売店についても完全な商取引追跡可能性およびトレーサビリティを保証する単一のフリクションレスシステムに送り込むことができ、顧客付加価値を一連のインタラクションに付けて、例えば金貨および見込みインセンティブで支払うことができる合意された報酬で補償される。
【手続補正４】
【補正対象書類名】図面
【補正対象項目名】図６
【補正方法】変更
【補正の内容】
【図６】
2021509234.tif 000001